(57)【要約】      （修正有）【課題】安全柵の展開および据え付け時の作業性の向上を図ることができる。【解決手段】エレベータかご上作業用安全装置１は、ドアが設けられるエレベータのかご２上の左右の２側面に互いに対向すると共にそれぞれ平行して設けられた左側面安全柵３および右側面安全柵４を備える。安全装置１はさらに、かご２の正面側に対向する背面側のかご２上に側面安全柵３，４と直交する方向に設けられた背面安全柵５と、かご２の正面側のかご２上に側面安全柵３，４と直交すると共に背面安全柵５と対向して設けられた前面バー６と、左側面安全柵３、右側面安全柵４および背面安全柵５は、かご２上で安全柵の柵部１Ａを支持するための安全柵支持台よりなる支持部と、この支持部に設けられて安全柵の柵部１Ａを直立固定した直立状態とかご２上に水平に折り畳まれた折り畳み状態との間で回転支持する回転軸部よりなる回転部と、を備える。【選択図】図１
2008285266.tif 000002
【特許請求の範囲】
【請求項１】
ドアが設けられるエレベータのかご上の左右の２側面に、互いに対向すると共にそれぞれ平行して設けられた左右の側面安全柵と、
前記かごの正面側に対向する背面側のかご上に前記側面安全柵と直交する方向に設けられた背面安全柵と、
前記かごの正面側のかご上に前記左右の側面安全柵と直交すると共に前記背面安全柵と対向して設けられた前面安全部材と、を備えると共に、
前記側面安全柵および前記背面安全柵は、前記かご上で前記安全柵の柵部を支持するための支持部と、前記支持部に設けられて前記安全柵を直立固定した直立状態と前記かご上に水平に折り畳まれた折り畳み状態との間で回転させる回転部と、を備えることを特徴とするエレベータかご上作業用安全装置。
【請求項２】
前記支持部は、前記かごの上面に設けられた上梁の水平面よりも低い位置に位置すると共に、前記回転部は前記支持部を前記かご上の安全柵取付け部分に回転自在に取り付ける回転軸を備えることを特徴とする請求項１に記載のエレベータかご上作業用安全装置。
【請求項３】
前記側面安全柵の高さは折り畳んだ状態で互いに重なり合う高さを有し、前記かご上の前記側面安全柵の取り付け面には何れか一方の側面安全柵を収納するための収納部が形成され、前記側面安全柵の左右それぞれの前記支持部は前記かごの上面に設けられた上梁の水平面よりも低い位置でかつ左右が異なる高さとなる位置に回転自在に取り付けられると共に、左右の側面安全柵の支柱または腕木には左右の側面安全柵の折り畳み状態での衝突を回避するために凹部または凸部が形成されていることを特徴とする請求項１に記載のエレベータかご上作業用安全装置。
【請求項４】
前記支持部は、前記側面安全柵および背面安全柵を展開直立させた直立状態でそれぞれの安全柵をそれぞれ独立して直立させると共に、その直立状態を維持可能な直立維持機構を備えることを特徴とする請求項１に記載のエレベータかご上作業用安全装置。
【請求項５】
前記回転部は、前記側面安全柵および背面安全柵を直立状態と折り畳み状態との２つの状態とさせるために前記支持部を回転自在に軸支するボルトと、前記ボルトに取り付けられて前記安全柵を直立状態となる方向に前記支持部を付勢するバネ作用力を前記ボルトに与えるバネ部と、を備えることを特徴とする請求項１に記載のエレベータかご上作業用安全装置。
【請求項６】
前記前面安全部材は、左右の側面側安全柵の前面側の端面に着脱自在に設けられていることを特徴とする請求項１に記載のエレベータかご上作業用安全装置。
【請求項７】
前記前面安全部材は、左右の前記側面側安全柵の何れか一方の端部にその基部を垂直方向に軸支する軸部材と、前記軸部材を中心として水平方向に回動することにより前面側を閉塞するバー部材と、左右の前記側面側安全柵の何れか他方の端部に設けられて前記バー部材の先端部を固定する固定部材と、を備えることを特徴とする請求項６に記載のエレベータかご上作業用安全装置。
【請求項８】
前記前面安全部材は、左右の前記側面側安全柵の何れか一方の端部にその基部を水平方向に軸支する軸部材と、前記軸部材を中心として垂直方向に上下に回動することにより前面側を閉塞するバー部材と、左右の前記側面側安全柵の何れか他方の端部に設けられて前記バー部材の先端部を固定する固定部材と、を備えることを特徴とする請求項６に記載のエレベータかご上作業用安全装置。
【請求項９】
前記支持部は、前記かご上に左右に延長されて設けられた上梁の上面に固定された支持台用ベース部に固定され、前記側面側安全柵を支持すると共に、前記背面側安全柵および前面安全部材はそれぞれ前記側面側安全柵の両側端部により支持されていることを特徴とする請求項１に記載のエレベータかご上作業用安全装置。
【請求項１０】
前記支持台用ベース部は、前記かご上に設けられた前記上梁の上側の梁面に固定部材により固定されると共に、その固定部分はサポート部材により補強されていることを特徴とする請求項９に記載のエレベータかご上作業用安全装置。
【請求項１１】
前記かご上梁に固定された前記支持部は、前記安全柵を回動自在に軸支する回転軸と、前記安全柵が折り畳まれた状態と釣り合う程度の弾性力で前記安全柵に対して展開方向の付勢力を与えるスプリングと、を備えることを特徴とする請求項９に記載のエレベータかご上作業用安全装置。
【発明の詳細な説明】
【技術分野】
【０００１】
本発明はエレベータかご上作業用安全装置に関し、特に、エレベータを保守・点検する際に作業者の作業の安全を図るための折り畳み式の安全柵を備えるエレベータかご上作業用安全装置に関する。
【背景技術】
【０００２】
従来からエレベータ装置の保守・点検作業の際の安全性を確保するために、エレベータかごの上に折り畳み式の安全柵を設けるようにしたエレベータかご上作業用安全装置が知られている。具体的には、特許文献１に記載された「エレベータ」が提案されており、この特許文献１には、昇降路内に巻上機等の装置を設置した、いわゆる機械室レスエレベータ装置の乗りかごのかご上部に折り畳み式の安全柵を設置する技術が開示されている。
【０００３】
このような折り畳み式のかご上安全柵は、乗りかごが昇降路内の最上部の位置に達したときに、かご上部と昇降路天井部との間隙のオーバヘッド寸法をできるだけ小さくして、建物に対するエレベータ装置全体の省スペース化を図るものである。このため、通常運転時には、かご上安全柵は折り畳まれた状態のままでかごの上部に設置されている。
【０００４】
保守点検作業の作業員が実際に作業を行なうときには、かご上に乗る前にかご上安全柵を立設させた状態にしてから使用する。作業員は、この立設された安全柵の内側のかご上に立って、各種の機械装置や制御装置等を含むエレベータ装置の点検・修理・調整等の保守作業を行なっている。
【特許文献１】特開２０００−１４３１２５号公報
【発明の開示】
【発明が解決しようとする課題】
【０００５】
しかしながら、上述した従来のエレベータかご上作業用安全装置においては、左右に立設された側面安全柵と、エレベータかご上の背面側に立設された背面安全柵と、エレベータかご上の正面側に設けられたクロスバーとにより構成されており、それぞれの安全柵とクロスバーとが独立した構成となっていた。これらの安全柵を組み立てる場合、それぞれの安全柵は独立して自立することができず、個別の安全柵を全て組み合わせることによって安全柵全体を形成していた。
【０００６】
したがって、自立不可能な個別の安全柵を強固に結合させるためには、個別の安全柵を直立させた後に隣接する安全柵同士を係合させて固定させ、両側の側面安全柵と背面安全柵の三方を組み立ててから正面のクロスバーを両側の側面安全柵の正面側端面に取り付けるようにしている。この動作を一人で行なうためには、隣接する２つの安全柵の一方をまず直立させてから片方の手でその直立状態を維持したまま、他方の安全柵を直立させて係合し、さらにその隣りの安全柵を直立させて係合された２つの安全柵にさらに係合することにより組み立て動作を行なわなければならず、安全柵を組み立てるために時間を要するというという問題がある。
【０００７】
また、組み立て作業そのものの安全性を確保するために、例えば二人で組み立て作業を行ない、一人が隣接する安全柵を直立させた状態で保持し、他の一人が係合作業を行なうことも考えられるが、エレベータのかご上の狭い空間において二人で作業を行なうことは窮屈なため、作業性が悪いという問題もある。
【０００８】
さらに、左右の側面安全柵を折り畳んだ状態では、左右の安全柵が重なり合ってしまうために、安全柵の折り畳み時におけるかご上の上方へのはみ出し量が大きくなってしまうという問題もあった。このため、安全柵を使用しないでかご上に収納しておく場合の収納スペースを十分に確保しなければならないという問題となっていた。また、安全柵をかご上に設置する際に、左右の側面安全柵と背面安全柵および前面クロスバーが一体の支持枠に取り付けられているため、特に大きなサイズの安全柵をかご上に搬入したり、搬入した安全柵をかご上に取り付けたりする際に、一人作業では困難となる場合が多かった。この結果、折り畳み式の安全柵の運搬性および組み立て作業性が悪いという問題点もあった。
【０００９】
本発明は上記課題に鑑みてなされたものであり、エレベータの保守や点家の際に使用するかご上安全柵の運搬性や取付作業性を向上させると共に、収納時の安全柵の収納容量を小さくすることができるエレベータかご上作業用安全装置を提供することを目的とする。
【課題を解決するための手段】
【００１０】
上記目的を達成するために、本発明の基本構成によるエレベータかご上作業用安全装置は、ドアが設けられるエレベータのかご上の左右の２側面に、互いに対向すると共にそれぞれ平行して設けられた左右の側面安全柵と、前記かごの正面側に対向する背面側のかご上に前記側面安全柵と直交する方向に設けられた背面安全柵と、前記かごの正面側のかご上に前記左右の側面安全柵と直交すると共に前記背面安全柵と対向して設けられた前面安全部材と、を備えると共に、前記側面安全柵および前記背面安全柵は、前記かご上で前記安全柵の柵部を支持するための支持部と、前記支持部に設けられて前記安全柵を直立固定した直立状態と前記かご上に水平に折り畳まれた折り畳み状態との間で回転させる回転部と、を備えることを特徴とする。
【発明の効果】
【００１１】
本発明によれば、安全柵の展開作業の作業性の向上と、据え付け時の作業性の向上を図ることのできるエレベータかご上作業用安全装置を提供することができる。
【発明を実施するための最良の形態】
【００１２】
以下、添付図面を参照しながら、本発明に係るエレベータかご上作業用安全装置の好適な実施形態について説明にする。まず、展開状態にあるエレベータかご上安全装置を示す図１ないし図３を参照しながら、各実施形態に共通する基本構成を説明する。
【００１３】
図１は、各実施形態に係るエレベータかご上作業用安全装置に適用される安全柵の全体を示す上面図である。同図において、安全装置１は、２点鎖線で示されるエレベータかご２の上に設けられる。この安全装置１は、エレベータかご２の上でドアが設けられるかご２の正面側の左右にそれぞれが隣接して位置すると共に互いに対向してかご２上の左右の２側面にそれぞれ平行して設けられた左側面安全柵３および右側面安全柵４を備える。安全装置１はさらに、かご２の正面側に対向する背面側のかご２上に側面安全柵３，４と直交する方向に設けられた背面安全柵５と、かご２の正面側のかご２上に側面安全柵３，４と直交すると共に背面安全柵５と対向して設けられた前面安全部材としての前面バー６とを備えている。
【００１４】
図２は、安全装置１およびかご２を乗り場側から見た正面図であり、かご２の上方にはエレベータ用上梁８が設けられ、この上梁８は立枠９によりかご２の側面で支持されている。また、左側面安全柵３、右側面安全柵４および背面安全柵５は、かご２上で安全柵の柵部を支持するための安全柵支持台よりなる支持部７と、この支持部７に設けられて安全柵を直立固定した直立状態とかご２上に水平に折り畳まれた折り畳み状態との間で回転支持する回転軸部よりなる回転部１０と、を備えている。
【００１５】
図３は、展開状態の安全装置１およびかご２を右側から見た側面図であり、上梁８は、図３では示されていないかごの側面にその下端を保持された立枠９により指示され、この上梁８には安全柵の柵部を支持するための安全柵支持台としての支持部７が設けられている。
【００１６】
（第１実施形態）
図１ないし図３に示された基本構成に基づいて、個別の実施形態について説明する。まず、図４および図５を用いて第１実施形態に係るエレベータかご上作業用安全装置を説明する。図４および図５において、左側面安全柵３と右側面安全柵４は、安全柵支持台としての支持部７に取り付けられている。
【００１７】
支持部７には、回動軸としての回転部１０が設けられ、この回転部１０の軸支により左右側面安全柵３，４が展開されたり（図４参照）折り畳まれたり（図５参照）して２つの状態をとり得るように構成されている。上梁８の両側端には、下端側をかごに固定された立枠９の上端が固定されると共に、上梁８と立枠９との固定を確実にするための固定部材が設けられ、この固定部材がかご上最大突起物１１となっている。
【００１８】
以上のように、第１実施形態によるエレベータかご上作業用安全装置は、上記の基本構成において、支持部７は、かご２の上面に設けられた上梁８の最大突起物１１の上面のレベルとなる水平面よりも低い位置に位置すると共に、回転部１０は支持部７をかご２上の安全柵支持台の取付け部分に回転自在に取り付ける回転軸である構成を有する。
【００１９】
第１実施形態によれば、図５に示すように、回転部１０を中心として折り畳まれる左右側面安全柵３、４は、折り畳まれた際の高さを必要最低限とすることができ、その結果としてかご上最大突起物１１の上面のレベルとなる水平面よりも低い高さ位置に折り畳むことが可能となる。この構成によれば、複雑なリンク機構を用いなくても、簡単な構成により安価に安全柵の折り畳み時の高さを低く抑えることができ、使い勝手の良好なエレベータかご上作業用安全装置を提供することができる。
【００２０】
（第２実施形態）
次に、図６を参照しながら第２実施形態に係るエレベータかご上作業用安全装置について説明する。
【００２１】
図４，図５で示した第１実施形態は、左側面安全柵と右側面安全柵を折り畳んだ状態で左右両側面の安全柵が重なり合わないように安全柵の高さと大きさとを調整していたが、エレベータのかごのサイズが小さくなると当然かご上における作業用安全装置の取り付け面積も制約されることになる。したがって、第２実施形態では小型化されたかご上にでも作業用安全装置を折り畳み可能に設けることのできる構成を提供する。
【００２２】
安全柵を立設したときの高さ寸法は、作業の安全性を確保するためにかごの天井面上よりもある程度の高さ寸法が必要であるため、安全柵の取り付け面積が小さくなった場合には、左側面安全柵３と右側面安全柵４とが重なり合ってしまう。このため、図４の第１実施形態の安全柵をかご上の面積が狭いエレベータに設置したときに、折り畳み状態での安全柵３，４がかご上でかさ張ってしまうことになる。
【００２３】
第２実施形態では、図６に示すように、左右の側面安全柵３，４の高さは折り畳んだ状態で互いに重なり合う長さを有し、側面安全柵３，４の左右それぞれの支持部７は２かごの上面に設けられた上梁８の最大突起物１１の上面のレベルである水平面よりも低い位置でかつ左右が異なるレベルとなる位置に回転自在に取り付けられる。この構成は第１実施形態と同様である。
【００２４】
第２実施形態では、上記構成と共に、上梁８の上面左側は上面右側より所定の深さ低くなるように段状に形成されて左側面安全柵３を収納するための収納部８Ａが設けられている。左側面安全柵３の支持部７は収納部８Ａ内に設けられているので、左側面安全柵３は折り畳まれたときには収納部８Ａ内に収納されることになる。左側面安全柵３は、左右の側面安全柵３，４の支柱または腕木は左右の側面安全柵の折り畳み状態での衝突を回避するために、段付き部１２を備えている。なお、収納部８Ａは、上梁８の左側に形成される構成に限定されず、上梁８の右側に形成されて右側面安全柵４を収納するように構成しても良い。
【００２５】
図６では、段付き部１２は、折り畳み収納時の安全柵３と４が位置ずれしないようにする機能も有しているが、この機能だけでは左右の側面安全柵の折り畳み状態での衝突を回避できないので、この構成に加えて安全柵３と４を折り畳んだ状態での収納レベルを安全柵の厚さ分だけ異ならせるように構成されている。また、段付き部１２は、左右両側面安全柵３，４を収納した状態で上梁８の上面に凹凸が生じないようにして、なるべく平坦面を形成するようにも機能している。
【００２６】
以上の構成に基づく動作を説明する。図６において、回転部１０を中心にして左側面安全柵３を回転させて安全柵４よりも先に折り畳み、その後で、右側面安全柵４側の回転部１０を中心として安全柵４を折り畳む。このように、両安全柵３，４を折り畳んだ状態で安全柵３は収納部８Ａ内に確実に収納されると共に、安全柵３には段付き部１２が設けられているので、安全柵３，４の収納時に上梁８の上面に大きな段差が形成されない。
【００２７】
以上の構成および作用により、上梁８の上面に形成された収納部８Ａに一方側の側面安全柵３または４を収納すると共に先に折り畳まれる側面安全柵３または４の支柱または腕木に段付き部１２を設けているので、左右の側面安全柵を重ねて折り畳むことができると共に両側面の安全柵３および４を折り畳んで収納したときに折り畳み収納面に極端な凹凸が形成されるのを防止でき、折り畳んだ安全柵が上方に突出する寸法を最小限に抑えることができる。
【００２８】
（第３実施形態）
次に、図７ないし図９を参照しながら第３実施形態に係るエレベータかご上作業用安全装置について説明する。第３実施形態は、図８に示すように、支持部７が側面および背面安全柵３，４，５を含む安全柵の柵部１Ａを展開させた直立状態でそれぞれの安全柵の柵部１Ａをそれぞれ独立して直立状態になると共に、その直立状態を維持可能なロック機構としての凸部１４および凹部１５が安全柵の柵部１Ａおよび支持部７にそれぞれ設けられている。
【００２９】
図７は、左右の安全柵の柵部１Ａが折り畳まれた状態を示しており、ロック機構としての凸部１４が安全柵１の図中背面側に設けられ、ロック機構としての凹部１５が支持部７に設けられている。図７に示す安全柵の柵部１Ａの折り畳み状態から、図８に示す立設状態へと安全柵の柵部１Ａを展開させていき、安全柵の柵部１Ａが立設された状態においては、安全柵の柵部１Ａから支持部７方向へ突出した設けられた凸部１４が支持部７に設けられた凹部１５に嵌合することによりロック機構として機能する。
【００３０】
図７に示す構成においては、安全柵の柵部１Ａ側に凸部１４が設けられて、支持部７側に凹部１５が設けられるものとして説明したが、本発明はこの構成に限定されず、安全柵の柵部１Ａ側に凹部を設け、支持部７側に凸部を設ける構成としても良い。
【００３１】
また、図９に示すように、回転部１０は、回転軸部として機能して安全柵の柵部１Ａを直立状態と折り畳み状態との２つの状態とさせるため支持部７を回転自在に軸支するボルト１６と、ボルト１６の締め込み過ぎを防止すると共に一定の隙間をもたせるためのカラー１７と、支持部７の回転動作にバネアクションを与えるためにボルト１６に取り付けられて安全柵の柵部１Ａを直立状態となる方向に支持部７を付勢するバネ作用力をボルト１６に与えるバネ座１８とを備えている。
【００３２】
次に、第３実施形態のエレベータかご上作業用安全装置の作用を説明する。まず、安全柵の柵部１Ａを折り畳んだ状態からこの安全柵の柵部１Ａを展開させて立設状態に変位させる場合、安全柵の柵部１Ａの回転軸部としての回転部１０を中心にして両側面の安全柵の柵部１Ａが直立する所定の位置まで回動展開する。左右それぞれの安全柵の柵部１Ａをこの所定の位置まで展開したときに、安全柵の柵部１Ａ側ベース部１９に設けられた凸部１４が支持部７側に設けられた凹部１５に嵌合する。これにより左右両側面の安全柵の柵部１Ａは自立状態を保持することができる。
【００３３】
また、この展開動作に伴い、安全柵の柵部１Ａの底側に設けられたベース部１９は、その凸部１４の高さ分だけ変形しながら回動する。このとき、回転部１０に余裕代を設けているので、回動可能な最小寸法に設定した場合でも、安全柵ベース部１９は変形することがなく、凹部１５に位置決めされるまでの過程の凸部１４と支持部７の側面との間に摩擦抵抗が生じることもなく、その結果、回動動作の際に抵抗力が働いて動作が堅くなることもなくなり、両側面側の安全柵の柵部１Ａの展開動作を容易にすることができる。
【００３４】
その逆に、安全柵ベース部１９を変形し易いように、回転部１０の隙間を大きく設定すると、左右両側面の安全柵の柵部１Ａの回転部１０にガタツキが発生し易くなり、安全柵を展開して組み立てたときの安定性を損なうおそれが出てきてしまう。そこで、この第３実施形態では安全柵の柵部１Ａの回転部１０にバネ座１８を挿入しておくことにより、展開動作時のベース部１９が変形している状態のときにバネ座１８が縮んで、安全柵のベース部１９を無理なく変形させることが可能となる。
【００３５】
また、側面安全柵３，４の安全柵の柵部１Ａが立設状態のときには、バネ座１８のバネアクションによりベース部１９に設けられた凸部１４が押されて支持部７の凹部１５に確実に嵌り込み自立状態を保持することができる。この構成によれば、側面の安全柵の柵部１Ａを展開立設した状態を保持するためのロック機構を、複雑なリンク機構やストッパ部材を新たに設けることなく実現することができ、簡単で安価な構成を得ることができる。また、回転部１０にバネ座１８を設けることにより、側面安全柵の展開作業性をより簡単でスムーズなものとすると共に、そのロック機構をより一層確実なものとすることができる。
【００３６】
（第４実施形態）
図１０は第４実施形態のエレベータかご上作業用安全装置を示す正面図である。図１０に示すように、側面安全柵３，４の乗り場側には前面バー６が取り付けられている。前面バー６は、側面側安全柵３，４の前面側の柵部１Ａ端面に着脱自在に設けられている。
【００３７】
第４実施形態の作用を説明する。エレベータかご上でメンテナンス等の保守作業を行なう場合、まず左右の側面安全柵３，４を展開立設してかご上に乗り込む。次に、図１０には示されない背面安全柵を展開して固定した後、最後に前面バー６を左右の側面安全柵３と４の間に橋絡させて左右の安全柵３，４を固定する。
【００３８】
（第５実施形態）
第４実施形態では、図１に示した両側面安全柵３，４と背面安全柵５とを展開して立設し固定した状態で最後に前面バー６を側面安全柵３，４間に橋絡させる場合、前面を除く３方はすでに安全柵３，４，５が立設されて仮固定される状態となり、ある程度の寸法的な制約を受けている。
【００３９】
第５実施形態では、図１１に示すように、前面バー６の回転軸部の構造を、水平方向の回転軸２０と垂直方向の回転軸２１との２方向回転が可能な構成とする。図１１は第５実施形態のエレベータかご上作業用安全装置を示す側面図である。この構成から、第１実施形態と同様に、前面バー６は回転軸２０を水平方向の回転中心として右側面安全柵４の前面側の端部上面に軸支されている。
【００４０】
第５実施形態においては、第４実施形態の構成において、前面バー６は、左右の前記側面側安全柵３および４の何れか一方の安全柵の柵部１Ａの端部にその基部を垂直方向に軸支する軸部材２０と、この軸部材２０を中心として水平方向に回動することにより前面側を閉塞するバー部材６と、左右の側面側安全柵の何れか他方の安全柵の柵部１Ａの端部に設けられてバー部材の先端部を固定する固定部材と、を備える。この構成により、前面バー６は安全柵４の上面に一体化された構成から前方方向へ回動させることにより、安全装置１の前面側へ作業員が入り込むのを抑止することができる。
【００４１】
第５実施形態では、第４実施形態の構成に加えて図１１に示す垂直方向の回転軸２１が設けられている。図１１は、前面バー６を右側面安全柵４の安全柵部１Ａ側から見た側面図である。図１１において、安全柵部１Ａの上部側にはＬ字状の取付け基部１Ｂが固定され、この取付け基部１Ｂには垂直方向回転軸２１取付け用のＬ字状の取付け基部１Ｃを介して水平方向の回転軸２０が取り付けられている。したがって、前面バー６は、取付け基部１Ｃのみを介して垂直方向の回転軸２１により垂直方向に回動自在に取り付けられており、前面バー６と水平方向回動用の取付け基部１Ｂとは直接つながってはいない。
【００４２】
以上の構成によれば、前面バー６は、一端部を側面側安全柵３および４の一方の上面と前面との角部に水平方向および垂直方向に回動自在に取り付けられると共に、他端部を側面側安全柵３および４の他方の上面と前面との角部に着脱自在に設けられているので、作業員がかご２の上で作業用安全装置を展開させて組み立てる際の作業性を向上させることができると共に、エレベータのかご上での点検作業の際の作業性を向上させることもできる。
【００４３】
（第６実施形態）
次に、図１２および図１３に示す第６実施形態に係るエレベータかご上作業用安全装置について説明する。作業用安全装置１を上方より俯瞰した図１２に示すように、支持部７は、かご２上の略々中央部に左右に延長されて設けられた上梁８の上面に固定された支持台用ベース部２４に固定され、側面側安全柵３，４を支持すると共に、背面側安全柵５および前面バー６はそれぞれ側面側安全柵３，４の両側の端部により支持されている。
【００４４】
図１２に示すように、それぞれの安全柵３，４，５はエレベータ用上梁８に取り付けられた安全柵の支持部７に取り付けられており、この支持部７は左右の側面安全柵３，４をそれぞれ指示するように分割された構造を有している。左右それぞれの側面安全柵３，４の支持部７は、左右それぞれの側面安全柵３，４の本体を指示するための支持台用ベース部２４と、支持台用ベース部２４を繋ぎ合わせるためのサポート部２２から構成されている。
【００４５】
エレベータ用上梁８への固定方法は、部分正面図である図１３に示すように、支持台用ベース部２４が上梁８へボルトにより固定され、庫のベース部２４の上部にサポート部２２が前後方向を繋ぐようにボルトにより固定される。したがって、支持台用ベース部２４は、かご２上に設けられた８上梁の上側の梁面に固定部材により固定されると共に、その固定部分はサポート部材２２により補強されている。
【００４６】
以上のように構成することにより、左右の側面安全柵３，４を完全に分割することができ、これにより、サイズの大きな安全柵であっても一人での運搬が可能となる。また、安全柵のかご２上への設置作業も一人で行なうことが可能となる。
【００４７】
（第７実施形態）
図７に示した第３実施形態においては、バネ座１８のバネアクションにより、ベース部１９に設けられた凸部１４が押されて支持部７の凹部１５に確実に嵌り込み自立状態を保持するようにしていたが、図１４に示す第７実施形態においては、折り畳んだ安全柵の柵部１Ａの展開動作を補助する方向に付勢するスプリング２３が設けられている。
【００４８】
図１４において、かご２の上梁８には支持部７が固定され、この支持部７に対して安全柵の柵部１Ａが回転軸１０により回動自在に軸支されている。スプリング２３は、安全柵の柵部１Ａの折り畳まれた状態と釣り合う程度の弾性力で安全柵の柵部１Ａを付勢している。すなわち、第７実施形態に係るにエレベータかご上作業用安全装置は、かご２の上梁に固定された支持部７が、安全柵の柵部１Ａを回動自在に軸支する回転軸１０と、安全柵の柵部１Ａが折り畳まれた状態と釣り合う程度の弾性力で安全柵の柵部１Ａを展開方向に付勢するスプリング２３と、を備えている。
【００４９】
図１４においては、折り畳んだ側面安全柵の柵部１Ａの支持部７における回転部１０の近傍にスプリング２３が設置されている構成が示されている。スプリング２３の一端を側面安全柵の柵部１Ａに取り付けて、他端を支持部７に取り付ける。図１４に示す安全柵の柵部１Ａが折り畳まれた状態では、スプリング２３は最も引き延ばされた状態であり、側面安全柵の柵部１Ａを折り畳む方向の力と側面安全柵の柵部１Ａを引き起こそうとするスプリング２３の引っ張り付勢力とが釣り合った状態に設定されている。
【００５０】
側面安全柵の柵部１Ａを展開立設する方向に持ち上げると、スプリング２３の付勢力によりある程度持ち上げた位置では、側面安全柵の柵部１Ａを引き起こそうとする力の方が大きくなり、側面安全柵の柵部１Ａを持ち上げる力とスプリング２３の引っ張り力とが合成されて側面安全柵の柵部１Ａの展開が容易となる。
【００５１】
以上の構成により、スプリング２３等を設けない通常の状態に比較して軽い力でも側面安全柵の柵部１Ａを展開立設することができる。また、側面安全柵の柵部１Ａを立設させた状態においても、スプリング２３の引っ張り力が作用するため、側面安全柵の柵部１Ａの自立状態保持力をより増加させることができる。
【図面の簡単な説明】
【００５２】
【図１】各実施形態に係るエレベータかご上作業用安全装置に適用される安全柵の全体を示す上面図。
【図２】各実施形態における安全装置およびかごを乗り場側から見た正面図。
【図３】各実施形態における展開状態の安全装置およびかごを右側から見た側面図。
【図４】第１実施形態によるかご上作業用安全装置の展開立設した状態を示す正面図。
【図５】第１実施形態によるかご上作業用安全装置の折り畳み状態を示す正面図。
【図６】第２実施形態によるかご上作業用安全装置の折り畳み状態を示す正面図。
【図７】第３実施形態における安全柵が折り畳まれた状態の支持部を示す側面図。
【図８】第３実施形態における安全柵を展開立設した状態の支持部を示す側面図。
【図９】第３実施形態における安全柵が立設したときの回転部と係合部を示す上面図。
【図１０】第４実施形態のエレベータかご上作業用安全装置を示す正面図である。
【図１１】第５実施形態のエレベータかご上作業用安全装置を示す側面図である。
【図１２】第６実施形態によるかご上作業用安全装置の全体を示す上面図。
【図１３】第６実施形態による上梁とサポート部およびベース部の取付け状態を示す断面図。
【図１４】第７実施形態における安全柵と支持部へのスプリング取付け状態を示す断面図。
【符号の説明】
【００５３】
１  エレベータかご上作業用安全装置
２  かご
３  左側面安全柵
４  右側面安全柵
５  背面安全柵
６  前面安全部材（前面バー）
７  支持部
１０  回転部
１Ａ  柵部（左右側面・背面安全柵）
【図１】
2008285266.tif 000003
【図２】
2008285266.tif 000004
【図３】
2008285266.tif 000005
【図４】
2008285266.tif 000006
【図５】
2008285266.tif 000007
【図６】
2008285266.tif 000008
【図７】
2008285266.tif 000009
【図８】
2008285266.tif 000010
【図９】
2008285266.tif 000011
【図１０】
2008285266.tif 000012
【図１１】
2008285266.tif 000013
【図１２】
2008285266.tif 000014
【図１３】
2008285266.tif 000015
【図１４】
2008285266.tif 000016